(57)【要約】【課題】相手に対する接触面積を大きくして、放熱効率を向上させるアースターミナルを得る。【解決手段】弾性金属板の中央部を中央平面板部２とする。中央平面板部２の両側を弾性屈曲部３，４として同じ板面側にそれぞれ折り返えす。各弾性屈曲部３，４の各端部にそれぞれ接触部５，６を設ける。両弾性屈曲部の内の一方の弾性屈曲部３の全体幅は中央平板部２より細幅に形成され、他方の弾性屈曲部４は、弾性金属板に窓部7を形成することにより窓部の両側に残された弾性金属板を他方の弾性屈曲部となすとともに、弾性屈曲部４の先端に前記窓部の中央平面板部とは反対側の端部側に残された弾性金属板を各他方の全弾性屈曲部と一体の平板状をした接触部６となし、他方の弾性屈曲部４間の窓部7内に一方の弾性屈曲部３を通して両弾性屈曲部がそれぞれ中央平面板部２の板面上に折り返されている。【選択図】図６
2007172926.tif 000002
【特許請求の範囲】
【請求項１】
弾性金属板の中央部が中央平面板部となっており、該中央平面板部の両側が弾性屈曲部として同じ板面側にそれぞれ折り返され、前記各弾性屈曲部の各端部にそれぞれ接触部が設けられているアースターミナルにおいて、
前記両弾性屈曲部の内の一方の弾性屈曲部の全体幅は前記中央平板部より細幅に形成され、
前記両弾性屈曲部の内の他方の弾性屈曲部は、前記弾性金属板に窓部を形成することにより該窓部の両側に残された弾性金属板を前記他方の弾性屈曲部となすとともに、該弾性屈曲部の先端に前記窓部の中央平面板部とは反対側の端部側に残された前記弾性金属板を前記各他方の全弾性屈曲部と一体の平板状をした接触部となし、
前記他方の弾性屈曲部間の窓部内に前記一方の前記弾性屈曲部を通して該両弾性屈曲部がそれぞれ前記中央平面板部の板面上に折り返されていることを特徴としてなるアースターミナル。
【請求項２】
前記中央平面板部の一端側の幅方向中央よりこれと一体に、該中央平面板部とは細幅に成形した前記一方の弾性屈曲部を延設され、かつ、前記中央平板部の他端の幅方向中央部分に前記窓部を位置させることにより前記他方の弾性屈曲部を該中央平面板部の幅方向両端に延設されている請求項１に記載のアースターミナル。
【請求項３】
請求項１又は２に記載のアースターミナルを備える電子機器。
【発明の詳細な説明】
【技術分野】
【０００１】
本発明は、電子機器でアースをとり且つ放熱を行わせるために用いるアースターミナル及び該アースターミナルを備える電子機器に関するものである。
【背景技術】
【０００２】
従来のアースターミナルは、相手に自由端片を接触させる片持ちの金属ばね、または相手に接点部を接触させる片持ちの金属ばねで構成されていた（例えば、特許文献１参照。）。
【特許文献１】特許第３３３８９７６号公報
【発明の開示】
【発明が解決しようとする課題】
【０００３】
しかしながら、このような従来のアースターミナルは、相手に対する接触部が１つの線状をなす１線または１つの点状をなす１点なので、接地面積が小さく、放熱を十分に行えない問題点があった。
【０００４】
本発明の目的は、相手に対する接触面積を大きくして、放熱効率を向上させることができるアースターミナルを提供することにある。
【課題を解決するための手段】
【０００５】
上記の目的を達成する本発明の構成を説明すると、請求項１に記載の発明の特徴は、弾性金属板の中央部が中央平面板部となっており、該中央平面板部の両側が弾性屈曲部として同じ板面側にそれぞれ折り返され、前記各弾性屈曲部の各端部にそれぞれ接触部が設けられているアースターミナルにおいて、前記両弾性屈曲部の内の一方の弾性屈曲部の全体幅は前記中央平板部より細幅に形成され、
前記両弾性屈曲部の内の他方の弾性屈曲部は、前記弾性金属板に窓部を形成することにより該窓部の両側に残された弾性金属板を前記他方の弾性屈曲部となすとともに、該弾性屈曲部の先端に前記窓部の中央平面板部とは反対側の端部側に残された前記弾性金属板を前記各他方の全弾性屈曲部と一体の平板状をした接触部となし、
前記他方の弾性屈曲部間の窓部内に前記一方の前記弾性屈曲部を通して該両弾性屈曲部がそれぞれ前記中央平面板部の板面上に折り返されていることにある。
【０００６】
また、請求項２に記載の発明の特徴は、請求項１の構成に加え、前記中央平面板部の一端側の幅方向中央よりこれと一体に、該中央平面板部とは細幅に成形した前記一方の弾性屈曲部を延設され、かつ、前記中央平板部の他端の幅方向中央部分に前記窓部を位置させることにより前記他方の弾性屈曲部を該中央平面板部の幅方向両端に延設されていることにある。
【０００７】
更に、請求項２に記載の発明の特徴は、請求項１又は２の構成を具備したアースターミナルを備える電子機器にある。
【発明の効果】
【０００８】
本発明のアースターミナルでは、弾性金属板の中央部が中央平面板部となっており、該中央平面板部の両側が同じ板面側に弾性屈曲部としてそれぞれ折り返され、各弾性屈曲部の各端部にそれぞれ接触部が設けられているので、弾性金属板の両端が接触部となっており、相手に対する接触面積を大きくして、放熱効率を向上させることができるものであり、更に、前記両弾性屈曲部の内の一方の弾性屈曲部の全体幅は前記中央平板部より細幅に形成され、前記両弾性屈曲部の内の他方の弾性屈曲部は、前記弾性金属板に窓部を形成することにより該窓部の両側に残された弾性金属板を前記他方の弾性屈曲部となすとともに、該弾性屈曲部の先端に前記窓部の中央平面板部とは反対側の端部側に残された前記弾性金属板を前記各他方の全弾性屈曲部と一体の平板状をした接触部となし、前記他方の弾性屈曲部間の窓部内に前記一方の前記弾性屈曲部を通して該両弾性屈曲部がそれぞれ前記中央平面板部の板面上に折り返されていることにより、一方の接触部は相手に線または点接触し、他方の接触部は相手に面接触し、相手に対する接触面積が著しく大きくなり、放熱効率を著しく向上させることができる。
【０００９】
また、前記中央平面板部の一端側の幅方向中央よりこれと一体に、該中央平面板部とは細幅に成形した前記一方の弾性屈曲部を延設され、かつ、前記中央平板部の他端の幅方向中央部分に前記窓部を位置させることにより前記他方の弾性屈曲部を該中央平面板部の幅方向両端に延設させたことにより、材料とする弾性金属板の歩留まりが大きく、低コストで製造できる。
【００１０】
更に、上述の如きアースターミナルを電子機器に使用することにより、低コストで、高い放熱効果が得られ、加熱によって影響される電子部品の機能を常に良好な状態に維持させることが可能となる。
【発明を実施するための最良の形態】
【００１１】
以下、本発明に係るアースターミナルを実施するための最良の形態における一例を図面を参照して説明する。
【００１２】
本例のアースターミナル１は、相手に接触させてアースと放熱を行わせるアースターミナルである。
【００１３】
このアースターミナル１は、銅合金等の弾性金属板の中央部が中央平面板部２となっている。該中央平面板部２は、その片面が接触板面２ａとなっている。該中央平面板部２の幅方向の両側寄りの部分には、該中央平面板部２の長手方向に沿って１対の打ち出し部２ｂが該中央平面板部２の反対側の板面２ｃに打ち出されている。
【００１４】
該中央平面板部２の両側が同じ板面２ｃ側に弾性屈曲部３，４としてそれぞれ折り返されている。各弾性屈曲部３，４の各端部にそれぞれ接触部５，６が設けられている。
【００１５】
前記両弾性屈曲部の内の一方の弾性屈曲部３の全体幅は、図６の展開図に示すように、中央平面板部２の全幅より狭く、該一方の弾性屈曲部３は中央平面板部２の端部でその幅方向の中央部より延設されてその基部で曲げられて中央平面板部２の板面上に折り返されている。該一方の弾性屈曲部３の先端は、その幅で中央平面板部２から離間する方向に曲げられて一方の接触部５となっている。なお、一方の接触部５は相手に線接触させる構造でも、点接触させる構造でもよい。
【００１６】
他方の弾性屈曲部４は、中央平面板部２の他端側を延長した配置の矩形状の弾性金属板に窓部７を刳り抜き成形することによってその窓部の両側部に残される弾性金属板部分を複数の弾性屈曲部４，４としており、この他方の弾性屈曲部４，４の全体の総幅は中央平面板部２の全幅と同じ幅となっている。
【００１７】
また、この窓部７の中央平面板部２とは反対側の端部側に残された弾性金属板部分を、平板状をした他方の接触部６としており、他方の弾性屈曲部４，４の先端を中央平面板部２上方向に折り返すことによって該中央平面板部２と略平行な配置としている。これによって他方の接触部６は全弾性屈曲部４，４と一体で、前記中央平面板部２と同幅に成形されている。
【００１８】
また、窓部７は、一方の弾性屈曲部３が挿入されて自由に動作できる幅に成形されている。該他方の弾性屈曲部４は、該弾性屈曲部４，４間の窓部７に一方の弾性屈曲部３を中に通し、該他方の弾性屈曲部４の基部で曲げられて中央平面板部２の板面上に折り返されている。これによって一方及び他方の両弾性屈曲部３，４は、図２に示すように正面から見た場合にＸ型に交差した配置となっており、かつ両弾性屈曲部３，４の先端間に平板状をした他方の接触部６が配置された状態となっている。
【００１９】
このような構造のアースターミナル１を電子機器に使用する際には、例えば図８に示すように中央平面板部２の接触板面２ａを電子機器の発熱源またはそこから熱を受ける発熱部１０に面接触させて、そこに半田付けやネジ止め等で固定するか又は面接触だけとし、反対側の一方の接触部５と他方の接触部６とを例えば電子機器のシャーシ等の放熱部１１に弾性屈曲部３，４の弾性を利用して接触させる。このとき一方の接触部５は相手に線または点接触し、他方の接触部６は中央平面板部２の全幅と同じ幅で相手に面接触し、相手に対する接触面積が著しく大きくなり、放熱効率を著しく向上させることができる。
【００２０】
尚、上述の実施例では、一方の弾性屈曲部３を１つ、他方の弾性屈曲部４を１つの窓部７の両側の２つとしているが、図には示してないが窓部７を複数形成することによって３つ以上の他方の弾性屈曲部を設け、窓部の数に相当する数の一方の弾性屈曲部を設けても良い。
【図面の簡単な説明】
【００２１】
【図１】本発明を実施するための最良の形態における一例のアースターミナルの平面図である。
【図２】同アースターミナルの正面図である。
【図３】同アースターミナルの底面図である。
【図４】同アースターミナルの左側面図である。
【図５】同アースターミナルの右側面図である。
【図６】同アースターミナルの斜視図である。
【図７】同アースターミナルの展開図である。
【図８】同アースターミナルの使用状態の断面図である。
【符号の説明】
【００２２】
１  アースターミナル
２  中央平面板部
３，４  弾性屈曲部
・  接触部
７  窓部
１０  発熱部
１１  放熱部
【図１】
2007172926.tif 000003
【図２】
2007172926.tif 000004
【図３】
2007172926.tif 000005
【図４】
2007172926.tif 000006
【図５】
2007172926.tif 000007
【図６】
2007172926.tif 000008
【図７】
2007172926.tif 000009
【図８】
2007172926.tif 000010